(57)【要約】【課題】  使用中において、ヘッド部が、自在に傾動し、紙面等の被転写面に対して塗膜転写具を種々の方向に傾けた場合も、常に良好に塗膜転写を行うことができる塗膜転写具を提供する。【解決手段】  ケース３の開口２より、転写ヘッド６の前端におけるヘッド部７を突出させ、供給リール４に巻回した転写テープ８を繰出し、前記ヘッド部７で反転させて、巻取リール５に巻取らせるようにした塗膜転写具１において、転写ヘッド６の基部をケース３に固定するとともに、転写ヘッド６における、ケース３の開口２と対向する部分と、ケース３の開口２とを、一方をほぼ凸球面に、他方を、前記凸球面に対応する凹球面に、それぞれ形成して対向させた状態で、転写ヘッド６を、そのヘッド部７が、転写テープ８の幅方向と、この幅方向と直交する方向の両方向に傾動可能であるとともに、転写ヘッド６の軸線回りに傾動可能であるようにして、ケース３に取り付ける。【選択図】        図１
2006001236.tif 000002
【特許請求の範囲】
【請求項１】
前端に開口を有するケース内に、供給リールと巻取リールを配設し、前記開口より、転写ヘッドの前端におけるヘッド部を突出させ、供給リールに巻回した転写テープを繰出し、前記ヘッド部で反転させて、巻取リールに巻取らせるようにした塗膜転写具において、転写ヘッドを、そのヘッド部が、転写テープの幅方向と、この幅方向と直交する方向の両方向に傾動可能であるとともに、転写ヘッドの軸線回りに傾動可能であるようにして、ケースに取り付けたことを特徴とする塗膜転写具。
【請求項２】
転写ヘッドを、そのヘッド部が、転写テープの幅方向と、この幅方向と直交する方向と、これら両方向と傾斜する方向のいずれの方向にも傾動可能であるとともに、転写ヘッドの軸線回りに傾動可能であり、かつこれらの傾動が同時に可能であるようにして、ケースに取り付けたことを特徴とする請求項１記載の塗膜転写具。
【請求項３】
転写ヘッドの基部をケースに固定するとともに、転写ヘッドにおける、ケースの開口と対向する部分と、ケースの開口とを、一方をほぼ凸球面に、他方を、前記凸球面に対応する凹球面に、それぞれ形成して対向させたことを特徴とする請求項１または２記載の塗膜転写具。
【請求項４】
転写ヘッドの基部をケースに固定するとともに、転写ヘッドにおける、ケースの開口と対向する部分を、ほぼ凸球面に形成し、かつケースの開口を薄肉に形成したことを特徴とする請求項１または２記載の塗膜転写具。
【請求項５】
転写ヘッドの少なくとも一部を弾性素材で形成し、ヘッド部への負荷を取り去ることによって、ヘッド部が、弾性作用により、傾動状態から自動的に復元するようにしたことを特徴とする請求項１〜４のいずれかに記載の塗膜転写具。
【請求項６】
前端に開口を有するケース内に、供給リールと巻取リールを配設し、前記開口より、転写ヘッドにおける前端のヘッド部を突出させ、供給リールに巻回した転写テープを繰出し、前記ヘッド部で反転させて巻取リールに巻取らせるようにした塗膜転写具において、
転写ヘッドにおける、ケースの開口と対向する部分と、ケースの開口とを、一方をほぼ凸球面に、他方を、前記凸球面に対応する凹球面に、それぞれ形成して対向させるとともに、転写ヘッドを、ケース内に固定したコイルばねによって、ヘッド部方向に押圧させたことを特徴とする塗膜転写具。  
【発明の詳細な説明】
【技術分野】
【０００１】
本発明は、手で把持して、紙面等を押圧しながら後方へ移動させることにより、供給リールから繰出される転写テープに塗着されている糊料または修正用の塗膜を、紙面等に転写する塗膜転写具に関する。
【背景技術】
【０００２】
塗膜転写具を使用する場合、ケースの前端の開口から外側に突出している、転写ヘッドにおける前端のヘッド部の下面を、紙面等の被転写面に押圧しながら後方に移動させることにより、供給リールに巻回されている転写テープを繰出して塗膜の転写が行われる。
【０００３】
従来の塗膜転写具の多くは、転写ヘッドの弾性を利用して、転写ヘッドを撓ませ、ヘッド部が被転写面に沿うようになっている。
しかし、かかる塗膜転写具は、転写ヘッドの素材が有する弾性を利用して転写ヘッドを撓ませるものであるため、その撓み量は充分ではなく、使用中における塗膜転写具の傾斜角度によっては、ヘッド部の一部が被転写面から浮き上がり、良好に転写されない場合もある。
【０００４】
このため、転写ヘッドを、転写テープの幅方向に平行な軸の回りに傾動可能、かつ転写テープの幅方向に沿って傾動可能に、ケースに取り付けた塗膜転写具が提案されている（たとえば、特許文献１）。
【０００５】
しかし、特許文献１に記載される塗膜転写具は、ケースの開口近傍の内部に、開口に連通する区切室を設け、この区切室内に転写ヘッドの基部を嵌合させる構造であって、基部が転写ヘッドの軸線方向に所定の長さを有しているため、おのずとヘッド部の傾動方向が限定され、その傾動角度も、必ずしも充分なものではない。
【特許文献１】特開平１１−１７０７７０号公報（図１，図３参照）
【発明の開示】
【発明が解決しようとする課題】
【０００６】
本発明は、前記の現状に鑑み、塗膜転写具の使用中において、転写ヘッドにおけるヘッド部が、自在に傾動し、紙面等の被転写面に対して塗膜転写具を種々の方向に傾けた場合においても、常に良好に塗膜転写を行うことができる塗膜転写具を提供すること、さらに好ましくは、被転写面に対する塗膜転写具の傾きが大きい場合にも、良好に塗膜転写を行うことができる塗膜転写具を提供することを目的とする。
【課題を解決するための手段】
【０００７】
上記課題は、特許請求の範囲における各請求項に示すように、下記の構成を備える発明によって解決される。
(１)  前端に開口を有するケース内に、供給リールと巻取リールを配設し、前記開口より、転写ヘッドの前端におけるヘッド部を突出させ、供給リールに巻回した転写テープを繰出し、前記ヘッド部で反転させて、巻取リールに巻取らせるようにした塗膜転写具において、転写ヘッドを、そのヘッド部が、転写テープの幅方向と、この幅方向と直交する方向の両方向に傾動可能であるとともに、転写ヘッドの軸線回りに傾動可能であるようにして、ケースに取り付ける。
【０００８】
(２)  上記(１)項において、転写ヘッドを、そのヘッド部が、転写テープの幅方向と、この幅方向と直交する方向と、これら両方向と傾斜する方向のいずれの方向にも傾動可能であるとともに、転写ヘッドの軸線回りに傾動可能であり、かつこれらの傾動が同時に可能であるようにして、ケースに取り付ける。
【０００９】
(３)  上記(１)項または(２)項において、転写ヘッドの基部をケースに固定するとともに、転写ヘッドにおける、ケースの開口と対向する部分と、ケースの開口とを、一方をほぼ凸球面に、他方を、前記凸球面に対応する凹球面に、それぞれ形成して対向させる。
【００１０】
(４)  上記(１)項または(２)項において、転写ヘッドの基部をケースに固定するとともに、転写ヘッドにおける、ケースの開口と対向する部分を、ほぼ凸球面に形成し、かつケースの開口を薄肉に形成する。
【００１１】
(５)  上記(１)項〜(４)項のいずれかにおいて、転写ヘッドの少なくとも一部を弾性素材で形成し、ヘッド部への負荷を取り去ることによって、ヘッド部が、弾性作用により、傾動状態から自動的に復元するようにする。
【００１２】
(６)  前端に開口を有するケース内に、供給リールと巻取リールを配設し、前記開口より、転写ヘッドにおける前端のヘッド部を突出させ、供給リールに巻回した転写テープを繰出し、前記ヘッド部で反転させて巻取リールに巻取らせるようにした塗膜転写具において、転写ヘッドにおける、ケースの開口と対向する部分と、ケースの開口とを、一方をほぼ凸球面に、他方を、前記凸球面に対応する凹球面に、それぞれ形成して対向させるとともに、転写ヘッドを、ケース内に固定したコイルばねによって、ヘッド部方向に押圧させる。
【発明の効果】
【００１３】
本発明によると、次のような効果が奏せられる。
請求項１記載の発明によれば、転写ヘッドを、そのヘッド部が、転写テープの幅方向と、この幅方向と直交する方向の両方向に傾動可能であるとともに、転写ヘッドの軸線回りに傾動可能であるようにして、ケースに取り付けてあるため、塗膜転写具の使用中において、転写ヘッドにおけるヘッド部が、自在に傾動し、被転写面に対して塗膜転写具を種々の方向に傾けた場合においても、常に良好に塗膜転写を行うことができる。
【００１４】
請求項２記載の発明によれば、転写ヘッドを、そのヘッド部が、転写テープの幅方向と、この幅方向と直交する方向と、これら両方向と傾斜する方向のいずれの方向にも傾動可能であるとともに、転写ヘッドの軸線回りに傾動可能であり、かつこれらの傾動が同時に可能であるようにして、ケースに取り付けてあるため、塗膜転写具の使用中において、ヘッド部の傾動の自由度が大きく、被転写面に対して塗膜転写具を種々の方向に傾けて使用した場合においても、常に一層良好に塗膜転写具を行うことができる。
【００１５】
請求項３記載の発明によれば、転写ヘッドの基部をケースに固定するとともに、転写ヘッドにおける、ケースの開口と対向する部分と、ケースの開口とを、一方をほぼ凸球面に、他方を、前項凸球面に対応する凹球面に、それぞれ形成して対向させてあるため、ヘッド部の傾動の自由度が極めて大きく、かつその傾動の角度も大きくすることが可能であり、使用中における被転写面に対する塗膜転写具の傾きが大きい場合にも、良好に塗膜転写を行うことができる。
【００１６】
請求項４記載の発明によれば、請求項３記載の発明と、近似する効果が奏せられる。
【００１７】
請求項５記載の発明によれば、ヘッド部が、傾動状態から自動的に復元するため、使用中において、被転写面に対する塗膜転写具の傾きを種々変化させても、常に良好に塗膜転写を行うことができる。
【００１８】
請求項６記載の発明によれば、転写ヘッドが、コイルばねによってヘッド部方向に押圧されることにより、ケースに間接的に固定されているとともに、転写ヘッドにおける、ケースの開口と対向する部分と、ケースの開口とを、一方をほぼ凸球面に、他方を、前記凸球面に対応する凹球面に、それぞれ形成して対向させてあるため、塗膜転写具の使用中において、ヘッド部の傾動の自由度が極めて大きく、被転写面に対して塗膜転写具を種々の方向に傾けた場合においても、常に良好に塗膜転写を行うことができる。
また、転写ヘッドが、コイルばねによってヘッド部方向に押圧されているため、このコイルばねの弾性作用により、ヘッド部が、傾動状態から自動的に復元する。
【発明を実施するための最良の形態】
【００１９】
以下、本発明のいくつかの実施形態を、図面に基づいて説明する。
【００２０】
図１，図２は、本発明の第１実施形態を示し、図１は、塗膜転写具をケースを開放して示す斜視図、図２は、図１に示した転写ヘッド、およびケースにおける開口近傍を示す分解斜視図である。
【００２１】
図１に示すように、塗膜転写具(１)は、前端に開口(２)を有する１対の本体ケース部材(3a)と蓋ケース部材(3b)とよりなるケース(３)内に、供給リール(４)と巻取リール(５)が配設され、前記開口(２)より、転写ヘッド(６)における前端のヘッド部(７)が突出されて取り付けられている。
【００２２】
供給リール(４)に巻回された転写テープ(８)は、転写ヘッド(６)のヘッド部(７)を被転写面に押圧して後方に引くことにより繰出され、ヘッド部(７)で反転されて、供給リール(５)と連動して回転する巻取リール(５)に巻取られるようになっている。
【００２３】
ケース(３)は、両ケース部材(3a)(3b)の開口面を対向させて、蓋ケース部材(3b)に設けられたピン(９)を、本体ケース部材(3a)に設けられた嵌合孔(10a)を有するボス(10)に嵌入させることにより組付けられる。
【００２４】
転写ヘッド(６)は、後半部(3b)が前半部(3a)よりも幅狭となっている基板(11)と、この基板(11)の後端基部に設けられている筒状取付部(12)と、基板(11)の前端のヘッド部(７)の近傍における左右両側に設けられているテープガイド板(13)(13)と、テープガイド板(13)(13)の後方の左右にそれぞれ連設されているほぼ凸球面を有する半凸球面体(14)(14)とで構成されている。
【００２５】
前記半凸球面体(14)(14)は、ケース(３)の開口(２)(２)と対向し、前記開口(２)(２)は、半凸球面体(14)(14)における凸球面に対応する凹球面に形成されている。
【００２６】
転写ヘッド(６)は、全体が弾性を有する合成樹脂で一体成形されており、本体ケース部材(3a)と蓋ケース部材(3b)のそれぞれに設けられている固定用ボス(15)(15)に、筒状取付部(12)を外嵌させることによって、ケース(３)に取り付けられている。
【００２７】
転写ヘッド(６)における半凸球面体(14)(14)と、ケース(３)における凹球面を有する開口(２)(２)とが対向しているため、転写ヘッド(６)のヘッド部(７)は、転写テープ(８)の幅方向と、この幅方向と直交する方向と、これら両方向と傾斜する方向のいずれの方向にも傾動可能であるとともに、転写ヘッド(６)の軸線回りに傾動可能であり、かつこれらの傾動が同時に可能である。
【００２８】
また、転写ヘッド(６)は、弾性を有する合成樹脂で成形されており、ヘッド部(７)への負荷を取り去ることによって、ヘッド部(７)が、弾性作用により、傾動状態から自動的に復元するようになっている。
【００２９】
このため、塗膜転写具(１)の使用中において、転写ヘッド(６)におけるヘッド部(７)が、自在に傾動し、被転写面に対して塗膜転写具(１)を種々の方向に大きく傾けた場合にも、常に良好に塗膜転写を行うことができる。
【００３０】
図３および図４は、本発明の第２実施形態を示し、それぞれ図１，図２に対応する図である。
【００３１】
本実施形態における塗膜転写具(16)が、第１実施形態の塗膜転写具(１)と異なる点は、ケース(17)の開口(18)(18)の肉厚(Ｔ)を薄肉に形成したことである。その他は、第１実施形態と同様である。このようにした場合も、第１実施形態の発明と近似する効果が奏せられる。
【００３２】
図５および図６は、本発明の第３実施形態を示し、それぞれ図１，図２に対応する図である。
【００３３】
第１実施形態における塗膜転写具(１)が、ケース(３)を横にして使用する、いわゆる横タイプであるのに対し、本実施形態における塗膜転写具(19)は、縦タイプ、すなわちケース(20)を縦にして使用するものである点が相違し、その他は、基本的に同一である。
【００３４】
縦タイプであるため、転写ヘッド(21)は、そのヘッド部(22)における転写テープ(23)の幅方向が、ケース(20)と直角になるように設けられている。
【００３５】
図７および図８は、本発明の第４実施形態を示し、それぞれ図１，図２に対応する図である。
【００３６】
本実施形態の塗膜転写具(24)においては、転写ヘッド(25)における、ケース(26)の開口(27)(27)と対向する部分と、ケース(26)の開口(27)(27)とを、一方をほぼ凸球面に、他方を前記凸球面に対応する凹球面に、それぞれ形成して対向させるとともに、転写ヘッド(25)を、ケース(26)内に固定したコイルばね(28)によって、前向き、即ちヘッド部(29)方向に押圧させてある。
【００３７】
すなわち、ケース(26)の開口(27)(27)における転写ヘッド(25)と対向する面を、転写ヘッド(25)における半凸球面体(30)(30)と対応する凹球面にするとともに、コイルばね(28)によって、転写ヘッド(25)が前向きに付勢されている。コイルばね(28)の後端は、ケース(20)内に設けられているばね固定部(31)の凹状係止部(31a)に嵌入係止され、前後は、転写ヘッド(25)の後端に当接しており、コイルばね(28)の付勢力により、転写ヘッド(25)が傾動状態から復帰するようになっている。
【００３８】
転写ヘッド(25)は、転写ヘッド(25)における半凸球面体(30)と、ケース(26)における凹球面を有する開口(27)(27)との嵌合およびコイルばね(28)による付勢力によってケース(26)に固定されており、第１実施形態乃至第３実施形態のように、転写ヘッド(25)が直接、ケース(26)に固定されていないため、塗膜転写具(24)の使用中におけるヘッド部(29)の傾動の自由度が極めて大きく、被転写面に対して塗膜転写具(24)を種々の方向に大きく傾けた場合においても、常に良好に塗膜転写を行うことができる。
【図面の簡単な説明】
【００３９】
【図１】本発明を実施した塗膜転写具を、ケースを開放して示す斜視図である。
【図２】図１に示した転写ヘッド、およびケースにおける開口近傍を示す分解斜視図である。
【図３】本発明の第２実施形態を示す、図１に対応する図である。
【図４】本発明の第２実施形態を示す、図２に対応する図である。
【図５】本発明の第３実施形態を示す、図１に対応する図である。
【図６】本発明の第３実施形態を示す、図２に対応する図である。
【図７】本発明の第４実施形態を示す、図１に対応する図である。
【図８】本発明の第４実施形態を示す、図２に対応する図である。
【符号の説明】
【００４０】
(１)塗膜転写具
(２)開口
(３)ケース
(3a)本体ケース部材
(3b)蓋ケース部材
(４)供給リール
(５)巻取リール
(６)転写ヘッド
(７)ヘッド部
(８)転写テープ
(９)ピン
(10)ボス
(10a)嵌合孔
(11)基板
(11a)前半部
(11b)後半部
(12)筒状取付部
(13)テープガイド板
(14)半凸球面体
(15)固定用ボス
(16)塗膜転写具
(17)ケース
(17a)本体ケース部材
(17b)蓋ケース部材
(18)開口
(19)塗膜転写具
(20)ケース
(20a)本体ケース部材
(20b)蓋ケース部材
(21)転写ヘッド
(22)ヘッド部
(23)転写テープ
(24)塗膜転写具
(25)転写ヘッド
(26)ケース
(26a)本体ケース部材
(26b)蓋ケース部材
(27)開口
(28)コイルばね
(29)ヘッド部
(30)半凸球面体
(31)ばね固定部
(31a)係止部
【図１】
2006001236.tif 000003
【図２】
2006001236.tif 000004
【図３】
2006001236.tif 000005
【図４】
2006001236.tif 000006
【図５】
2006001236.tif 000007
【図６】
2006001236.tif 000008
【図７】
2006001236.tif 000009
【図８】
2006001236.tif 000010